(57)【要約】【課題】異常音の発生を防止するとともに接触の保護が可能であって、かつ生産性の向上された光ピックアップ装置のレンズホルダの緩衝構造を提供する。【解決手段】対物レンズを保持するレンズホルダ２２に、ディスク状記録媒体が装着される領域に臨んで対向する第１突出部８３と、レンズホルダ２２とディスク状記録媒体が装着される領域との間に設けられるカバー体２９に、トラッキング方向Ｆに臨んで対向する第２突出部８４と、ディスク状記録媒体に近接および離反するフォーカシング方向Ｆの下方から、カバー体２９に臨んで対向する第３突出部８５と、レンズホルダ２２のフォーカシング方向Ｆの下方に設けられる基台２５に臨んで対向する第４突出部８６とが一体的に形成される緩衝部材２８を装着することによって、製造工程数を増大させずに、レンズホルダ２２が振動によって周囲の部材に衝突することによって発生する異常音を防止することができる。【選択図】      図１
2004152410.tif 000002
【特許請求の範囲】
【請求項１】
ディスク状記録媒体に、対物レンズを介して光を集束し、対物レンズをディスク状記録媒体の半径方向に平行なトラッキング方向に走査して情報を読出し、または書込むピックアップ装置のレンズホルダの緩衝構造であって、
対物レンズを保持するレンズホルダと、このレンズホルダと前記ディスク状記録媒体が装着される領域との間に設けられるカバー体とを有し、前記対物レンズのディスク状記録媒体に対する接触を防止するとともに、前記レンズホルダの前記カバー体に対する衝撃を吸収する緩衝部材を、前記レンズホルダに一体的に設けたことを特徴とする光ピックアップ装置のレンズホルダの緩衝構造。
【請求項２】
前記緩衝部材は、ディスク状記録媒体が装着される領域に臨んで対向する第１突出部と、
前記カバー体に、トラッキング方向に臨んで対向する第２突出部と、
ディスク状記録媒体に近接および離反するフォーカシング方向の下方から、カバー体に臨んで対向する第３突出部とを含み、
これらの第１〜第３突出部は、レンズホルダの表面から突出して設けられることを特徴とする請求項１記載の光ピックアップ装置のレンズホルダの緩衝構造。
【請求項３】
前記緩衝部材は、レンズホルダのフォーカシング方向の下方に設けられるヨークまたは基台に臨んで対向する第４突出部を含み、この第４突出部は、レンズホルダの表面から突出して設けられることを特徴とする請求項２記載の光ピックアップ装置のレンズホルダの緩衝構造。
【請求項４】
前記レンズホルダは、
トラッキング方向に対して、対物レンズの光軸の両側に形成され、フォーカシング方向に延びる透孔部と、
対物レンズの周囲でかつディスク状記録媒体が装着される領域に臨む第１上面と、
第１上面のトラッキング方向の両側に連なって形成される段差面と、
第１上面よりもディスク状記録媒体が装着される領域から離反して、段差面に連なる第２上面と、
ヨークまたは基台に臨む底面とを有し、
前記緩衝部材は、
段差面に関して第１上面および第２上面、ならびに底面から突出し、かつ第１上面から第２底面にわたって透孔部内に形成される基部と、
基部の軸線方向一端部近傍から直角に突出して、第２上面によって支持される舌状片とを有し、
前記第１突出部は、緩衝部材の基部のうち、前記レンズホルダの第１上面から突出する部分から成り、
前記第２突出部は、緩衝部材の基部のうち、前記レンズホルダの段差面からトラッキング方向に突出する部分から成り、
前記第３突出部は、前記舌状部から成り、
前記第４突出部は、緩衝部材の基部のうち、前記レンズホルダの裏面から突出する部分から成ることを特徴とする請求項３記載の光ピックアップ装置のレンズホルダの緩衝構造。
【請求項５】
前記第１突出部は、トラッキング方向に関して対物レンズの光軸の両側に形成されて相互に対向し、
前記第２突出部は、各第１突出部のトラッキング方向およびフォーカシング方向に垂直な軸線方向の両端部に垂直に連なり、フォーカシング方向下方に延びて相互に対向し、
前記第３突出部は、第２突出部のフォーカシング方向下端部から垂直に連なり、トラッキング方向に平行に延びて、対向する第２突出部と相互に連なり、
前記第４突出部は、第１突出部の下部に連って、フォーカシング方向に延びることを特徴とする請求項３記載の光ピックアップ装置のレンズホルダの緩衝構造。
【請求項６】
前記緩衝部材は、可撓性および弾発性を有する材料によって一体的に形成されることを特徴とする請求項１〜５のいずれか１つに記載の光ピックアップ装置のレンズホルダの緩衝構造。
【発明の詳細な説明】
【０００１】
【発明の属する技術分野】
本発明は、ディスク状記録媒体に集束された光を当てることによって、情報の読出しまたは書込みなどを行うことのできる光ピックアップ装置のレンズホルダの緩衝構造に関する。
【０００２】
【従来の技術】
第１の先行技術（たとえば、特許文献１参照）は、光ピックアップ装置に装備される対物レンズ駆動装置において、対物レンズを保持するレンズホルダに、このレンズホルダとともにフォーカシング方向に浮上可能に支持されてコイルを保持するコイルホルダを連接し、コイルホルダとディスク状記録媒体が装着される領域との間にコイルを覆うように保護板を設け、この保護板にレンズホルダのディスク状記録媒体に向かう方向への移動を規制するストッパを設ける構成とし、振動などによってディスク状記録媒体が装着される領域にレンズホルダが飛び出すことを防止している。
【０００３】
レンズホルダは、基台上において４本の弾性支持体によってフォーカシング方向およびトラッキング方向に弾性支持されている。またレンズホルダのフォーカシング方向一方側には基台の一部が設けられ、トラッキング方向両側にはレンズホルダおよびコイル支持体の一部を覆うカバー体が設けられる。基台およびカバー体を設けることによって、フォーカシング方向他方およびトラッキング方向へのレンズホルダの可動範囲を規制している。フォーカシング方向とは、ディスク状記録媒体に近接および離反する方向であり、トラッキング方向とは、フォーカシング方向に垂直な方向であって、ディスク状記録媒体の半径方向である。
【０００４】
第１の先行技術では、レンズホルダのフォーカシング方向の位置制御を行ったり、外部振動などが加わったりした場合に、ディスク状記録媒体が装着される領域にレンズホルダが飛び出すことを防止することによって対物レンズおよびディスク状記録媒体の双方が損傷するという不具合を防止することができるが、レンズホルダがストッパに接触したときに耳障りな衝突音が発生しするという問題がある。また、レンズホルダが激しく衝突した場合には、弾性支持体に過大な応力が発生し、この弾性支持体が切断されるといった不具合が発生するおそれがある。
【０００５】
またレンズホルダが振動して、レンズホルダのフォーカシング方向一方側に設けられる基台およびトラッキング方向両側に設けられるカバー体にレンズホルダが接触したときに、同じく耳障りな衝突音が発生するという問題がある。
【０００６】
第２の先行技術では、上述した問題に鑑み、対物レンズを保持するレンズホルダのディスク状記録媒体が装着される領域に臨む表面に、対物レンズがディスク状記録媒体に接触することを防止するプロテクタを備えるとともに、レンズホルダの可動範囲を規制する基台およびカバー体のレンズホルダに臨む面を塗装しているものが実用化されている。
【０００７】
第２の先行技術では、プロテクタを備えることによって、ディスク状記録媒体が装着される領域にレンズホルダが飛び出しても、対物レンズとディスク状記録媒体との衝突を防止することができ、対物レンズおよびディスク状記録媒体の双方が損傷するという不具合を防止することができる。しかしながら、基台およびカバー体のレンズホルダに臨む面を塗装するので、ピックアップ装置を製造する工程数が増加するだけでなく、塗料の塗布および乾燥といった工程が加わることによって、製造にかかる時間が長くなり、生産性が低下するといった問題がある。また塗装だけでは、接触音の発生を十分に防止することができないという問題がある。
【０００８】
第３の先行技術では、上述した問題に鑑み、対物レンズを保持するレンズホルダのディスク状記録媒体が装着される領域に臨む表面に、対物レンズがディスク状記録媒体に接触することを防止するプロテクタを備えるとともに、レンズホルダの可動範囲を規制する基台およびカバー体のレンズホルダに臨む面に衝撃緩和用のテープ体を貼り付けることによって、レンズホルダの衝突による衝撃を緩和しているものが実用化されている。
【０００９】
図９は、第３の先行技術の対物レンズ駆動装置１を簡略化して示す部分断面図である。対物レンズ２を保持するレンズホルダ３のトラッキング方向両端部４には、それぞれ２つの弾性支持体５の一端部が接続され、弾性支持体５の他端部、すなわち図９の紙面に垂直な方向奥側は、基部６に接続され、レンズホルダ３は、対物レンズ２の光軸方向つまり、フォーカシング方向Ｆおよびフォーカシング方クに垂直であって、ディスク状記録媒体の半径方向に平行なトラッキング方向Ｔに移動自在に設けられる。
【００１０】
レンズホルダ３の周囲には、このレンズホルダ３の可動範囲を規制するためのストッパ７が設けられている。ストッパ７は、レンズホルダ３のトラッキング方ク両端部４およびフォーカシング方向一端部８に臨み、トラッキング方向およびフォーカシング方向に平行な一仮想平面での断面が略コ字状である基台６の一部９と、この基台６の一部９のフォーカシング方向他端部に設けられ、レンズホルダ３のフォーカシング方向一方側から、このレンズホルダ３のトラッキング方向両端部４に臨むカバー体１１とを含む。
【００１１】
対物レンズ２を保持するレンズホルダ３のディスク状記録媒体が装着される領域に臨む表面１２に、対物レンズ２がディスク状記録媒体に接触することを防止するプロテクタ１３が設けられる。プロテクタ１３を備えることによって、ディスク状記録媒体が装着される領域にレンズホルダ３が飛び出しても、対物レンズ２とディスク状記録媒体との衝突を防止することができ、対物レンズ２およびディスク状記録媒体の双方が損傷するという不具合を防止することができる。
【００１２】
レンズホルダ３の可動範囲を規制する基台６およびカバー体１１のレンズホルダ３に臨む面には、衝撃緩和用のテープ体１４が設けられる。テープ体１４は、基台６およびカバー体１１において、レンズホルダ３のトラッキング方向両端部４で、フォーカシング方向一表面および他表面に対向する領域と、レンズホルダ３のトラッキング方向両端部４に対向する領域の６箇所に設けている。
【００１３】
【特許文献１】
特許２８９２５５７号公報
【００１４】
【発明が解決しようとする課題】
第３の先行技術では、テープ体１４を設けることによって、接触音の発生を防止することはできるが、レンズホルダ３を外囲する基台１１およびカバー体１１のレンズホルダ３に対向する面のそれぞれにテープ体１４を貼り付ける必要があり、かつこれらのテープ体１４を１つ１つ所定の位置に正確に貼り付ける必要があるので、光ピックアップ装置を製造する工程数が増加し、生産性が低下するといった問題がある。
【００１５】
本発明の目的は、異常音の発生を防止するとともに接触部の保護が可能であって、かつ生産性の向上された光ピックアップ装置のレンズホルダの緩衝構造を提供することである。
【００１６】
【課題を解決するための手段】
本発明は、ディスク状記録媒体に、対物レンズを介して光を集束し、対物レンズをディスク状記録媒体の半径方向に平行なトラッキング方向に走査して情報を読出し、または書込むピックアップ装置のレンズホルダの緩衝構造であって、
対物レンズを保持するレンズホルダと、このレンズホルダと前記ディスク状記録媒体が装着される領域との間に設けられるカバー体とを有し、前記対物レンズのディスク状記録媒体に対する接触を防止するとともに、前記レンズホルダの前記カバー体に対する衝撃を吸収する緩衝部材を、前記レンズホルダに一体的に設けたことを特徴とする光ピックアップ装置のレンズホルダの緩衝構造である。
【００１７】
本発明に従えば、レンズホルダに保持される対物レンズのディスク状記録媒体に対する接触を防止するとともに、レンズホルダのカバー体に対する衝撃を吸収する緩衝部材がレンズホルダに一体的に設けられるので、レンズホルダが揺動して、所望の範囲を越えて移動した場合、またディスク状記録媒体が揺動した場合であっても、緩衝部材によってレンズホルダとカバー体またはディスク記録媒体とが、直接触することを防止され、ディスク状記録媒体および対物レンズが損傷する不具合を防止することができるとともに、レンズホルダがカバー体に衝突する場合に発生する異常音である接触音の発生を防止することができる。
【００１８】
緩衝部材は一体的にレンズホルダに設けられるので、上述したように対物レンズおよびディスク状記録媒体の損傷を防止することができ、かつ異常音の発生を防止することができる光ピックアップ装置のレンズホルダの緩衝構造を容易に形成することができる。したがって、製造工程数が増大されることがないので、レンズホルダの緩衝構造を備える光ピックアップ装置の生産性が向上する。
【００１９】
また本発明は、前記緩衝部材は、ディスク状記録媒体が装着される領域に臨んで対向する第１突出部と、
前記カバー体に、トラッキング方向に臨んで対向する第２突出部と、
ディスク状記録媒体に近接および離反するフォーカシング方向の下方から、カバー体に臨んで対向する第３突出部とを含み、
これらの第１〜第３突出部は、レンズホルダの表面から突出して設けられることを特徴とする。
【００２０】
本発明に従えば、ディスク状記録媒体が振動してレンズホルダに近接したとしても、緩衝部材の第１突出部がディスク状記録媒体に当接することによって、ディスク状記録媒体および対物レンズの接触を防止し、かつディスク状記録媒体とレンズホルダとが接触することを防止するので、ディスク状記録媒体および対物レンズが損傷するという不具合を防止することができる。
【００２１】
レンズホルダがフォーカシング方向の一方である上方に所望の範囲を越えて移動すると、レンズホルダの表面から突出する緩衝部材の第３突出部がカバー体に接触する。第３突出部は、レンズホルダおよびカバー体に対する衝撃を吸収して緩和し、かつレンズホルダとディスク状記録媒体との接触を防止するので、ディスク状記録媒体および対物レンズが損傷するという不具合を防止することができるとともに、レンズホルダがカバー体に衝突する場合に発生する異常音である衝突音を防止することができる。
【００２２】
またレンズホルダがトラッキング方向に所望の範囲を越えて移動すると、レンズホルダの表面から突出する緩衝部材の第２突出部が、レンズホルダとディスク状記録媒体が装着される領域との間に設けられるカバー体に接触する。第２突出部は、レンズホルダおよびカバー体に対する衝撃を吸収して緩和し、かつレンズホルダとカバー体との接触を防止するので、レンズホルダを保護することができるとともに、レンズホルダがカバー体に衝突するときに発生する異常音である衝突音の発生を防止することができる。
【００２３】
第１〜第３突出部を有する緩衝部材をレンズホルダに装着するだけで、上述したように対物レンズおよびディスク状記録媒体の損傷を防止することができ、かつ異常音の発生を防止することができるので、光ピックアップ装置のレンズホルダの緩衝構造を容易に形成することができる。したがって、製造工程数が増大されることがないので、レンズホルダの緩衝構造を備える光ピックアップ装置の生産性が向上する。
【００２４】
また本発明は、前記緩衝部材は、レンズホルダのフォーカシング方向の下方に設けられるヨークまたは基台に臨んで対向する第４突出部を含み、この第４突出部は、レンズホルダの表面から突出して設けられることを特徴とする。
【００２５】
本発明に従えば、レンズホルダがフォーカシング方向の他方である下方に所望の範囲を越えて移動すると、レンズホルダの表面から突出する緩衝部材の第４突出部が、レンズホルダのフォーカシング方向の下方に設けられるヨークまたは基台に接触する。第４突出部は、レンズホルダとヨークまたは基台の衝撃を吸収して緩和し、かつレンズホルダとヨークまたは基台との接触を防止するので、レンズホルダを保護することができるとともに、レンズホルダがヨークまたは基台に衝突するときに発生する異常音である衝突音を防止することができる。
【００２６】
また本発明は、前記レンズホルダは、
トラッキング方向に対して、対物レンズの光軸の両側に形成され、フォーカシング方向に延びる透孔部と、
対物レンズの周囲でかつディスク状記録媒体が装着される領域に臨む第１上面と、
第１上面のトラッキング方向の両側に連なって形成される段差面と、
第１上面よりもディスク状記録媒体が装着される領域から離反して、段差面に連なる第２上面と、
ヨークまたは基台に臨む底面とを有し、
前記緩衝部材は、
段差面に関して第１上面および第２上面、ならびに底面から突出し、かつ第１上面から第２底面にわたって透孔部内に形成される基部と、
基部の軸線方向一端部近傍から直角に突出して、第２上面によって支持される舌状片とを有し、
前記第１突出部は、緩衝部材の基部のうち、前記レンズホルダの第１上面から突出する部分から成り、
前記第２突出部は、緩衝部材の基部のうち、前記レンズホルダの段差面からトラッキング方向に突出する部分から成り、
前記第３突出部は、前記舌状部から成り、
前記第４突出部は、緩衝部材の基部のうち、前記レンズホルダの裏面から突出する部分から成ることを特徴とする。
【００２７】
本発明に従えば、第１上面のトラッキング方向両側に連なって形成される段差面から第２突出部が突出し、第１上面よりもディスク状記録媒体が装着される領域から離反して、段差面に連なる第２上面に第３突出部が設けられるので、レンズホルダの対物レンズの周囲でかつディスク状記録媒体が装着される領域に臨む第１上面と、ディスク状記録媒体との間にカバー体を設けるのではなく、レンズホルダの第１上面に段差面を介して連なり、第１上面よりもディスク状記録媒体が装着される領域から離反する第２上面とディスク状記録媒体との間にカバー体を設けることができる。したがって、レンズホルダの第１上面に設けられる対物レンズとディスク状記録媒体との距離をより近接して配置することができる。
【００２８】
光ピックアップ装置を小形化するためには対物レンズを小形化する必要があるが、対物レンズを小形化するとこの対物レンズの焦点距離が短くなるので、対物レンズとディスク状記録媒体との距離を近接させて配置する必要がある。上述したようにレンズホルダの第１上面に設けられる対物レンズとディスク状記録媒体との距離をより近接して配置することができるので、より小形の対物レンズを使用して光ピックアップ装置を構成することができ、光ピックアップ装置の小形化を図ることができる。
【００２９】
また、上述したレンズホルダの透孔部に、レンズホルダのフォーカス方向の寸法よりも軸線方向で大きな寸法を有し、軸線方向一端部近傍から直角に突出する舌状部が形成される基部を嵌め込むことによって、第１〜第４突出部を容易に形成することができる。
【００３０】
また本発明は、前記第１突出部は、トラッキング方向に関して対物レンズの光軸の両側に形成されて相互に対向し、
前記第２突出部は、各第１突出部のトラッキング方向およびフォーカシング方向に垂直な軸線方向の両端部に垂直に連なり、フォーカシング方向下方に延びて相互に対向し、
前記第３突出部は、第２突出部のフォーカシング方向下端部から垂直に連なり、トラッキング方向に平行に延びて、対向する第２突出部と相互に連なり、
前記第４突出部は、第１突出部の下部に連って、フォーカシング方向に延びることを特徴とする。
【００３１】
本発明に従えば、第２突出部および第３突出部を、対物レンズの光軸の両側に形成される一対の第１突出部の間に形成する、つまり第２突出部および第３突出部は、対物レンズのフォーカシング方向およびトラッキング方向に垂直な方向の両側に設けられるので、第２突出部および第３突出部を対物レンズの光軸の両側に形成される一対の第１突出部の相互に離反する方向に設ける場合と比較して、緩衝部材が設けられるレンズホルダのトラッキング方向の寸法を小さくすることができる。したがって、光ピックアップ装置を小形化することができる。
【００３２】
また本発明は、前記緩衝部材は、可撓性および弾発性を有する材料によって一体的に形成されることを特徴とする。
【００３３】
本発明に従えば、可撓性および弾発性を有する材料によって緩衝部材が一体成型されるので、弾性部材がディスク状記録媒体、カバー体、ヨークまたは基台などに接触したときに衝撃を吸収して緩和する。したがって、レンズホルダが振動して、所望の範囲外に移動したとしても、レンズホルダと周囲の部材との衝突によって異常音が発生することを確実に防止することができる。
【００３４】
また、緩衝部材の形成品をレンズホルダに装着するだけで製造することができ製造工程が簡略化され、生産性が向上する。
【００３５】
【発明の実施の形態】
図１は、本発明の実施の一形態である光ピックアップ装置のレンズホルダの緩衝構造を有する対物レンズ駆動装置２０を概略的に示す斜視図であり、図２は、対物レンズ駆動装置２０を示す部分平面図であり、図３は図２の切断面線ＩＩＩ−ＩＩＩから見た対物レンズ駆動装置２０の切断面図である。
【００３６】
対物レンズ駆動装置２０は、対物レンズ２１と、対物レンズ２１を保持するレンズホルダ２２と、フォーカシング方向駆動コイル２３と、トラッキング方向駆動コイル２４と、基台２５と、永久磁石２７と、ヨーク２６と、カバー体２８と、緩衝部材２９とを含む。
【００３７】
対物レンズ２１は、凸レンズであり、その光軸がディスク状記録媒体の回転軸に平行に設けられ、レンズホルダ２２に保持される。対物レンズ２１の光軸方向の一方側には、ディスク状記録媒体が装着される領域が設けられる。対物レンズ２１の光軸は、ディスク状記録媒体が装着された状態で、このディスク状記録媒体に近接および離反する方向であるフォーカシング方向Ｆに平行である。
【００３８】
本実施の形態では、フォーカシング方向Ｆの一方であり、対物レンズ２１がディスク状記録媒体が装着される領域に近接する方向を上方とし、フォーカシング方向Ｆの他方であり、対物レンズ２１がディスク状記録媒体から離反する方向を下方とする。
【００３９】
ディスク状記録媒体は、たとえばコンパクトディスク（Ｃｏｍｐａｃｔ  Ｄｉｓｋ；略称ＣＤ）、デジタルバーサタイルディスク（Ｄｉｇｉｔａｌ  Ｖｅｒｓａｔｉｌｅ  Ｄｉｓｋ；略称ＤＶＤ）および光磁気ディスクなどの光学的に読取りあるいは書込み可能な記録媒体である。
【００４０】
レンズホルダ２２は、ディスク状記録媒体が装着される領域に臨むフォーカシング方向一端部３１に、対物レンズ２１が固定されるレンズ固定部３２を有する。レンズ固定部３２は、レンズホルダ２２のフォーカシング方向一端部３１の中央部３３に形成される凹所部３４から成る。対物レンズ２１は、凹所部３４に嵌合され、接着剤によって固定される。レンズ固定部３２を設けることによって、製造工程において、対物レンズ２１の配置および位置決めが容易となり、作業性が向上する。レンズホルダ２２の対物レンズ保持部２６のフォーカシング方向他方側は、中空となっており、これによってレンズホルダ２２は、フォーカシング方向Ｆの光を通過させることができる。レンズホルダ２２は、合成樹脂などによって形成され、剛性を有する。
【００４１】
レンズホルダ２２に固定される対物レンズ２１のフォーカシング方向一端部３５は、レンズホルダ２２のフォーカシング方向一端部３１からわずかにディスク状記録媒体が装着される領域に向かって突出する。
【００４２】
レンズホルダ２２は、対物レンズ２２の周囲でかつディスク状記録媒体が装着される領域に臨む第１上面３６と、第１上面３６のトラッキング方向両端部にそれぞれ連なる段差面３７と、第１上面３６よりもディスク状記録媒体が装着される領域から離反して、段差面３７にそれぞれ連なる第２上面３８と、後述する基台２５に臨む底面３９とを有する。トラッキング方向Ｔは、ディスク状記録媒体が装着された状態で、このディスク状記録媒体の半径方向に平行な方向であって、かつ上述したフォーカシング方向Ｆに垂直な方向である。各段差面３７は、トラッキング方向Ｔに臨む。また第１上面３６および第２上面３８とは平行に設けられる。
【００４３】
レンズホルダ２２の対物レンズ２１の光軸の両側、すなわち対物レンズ２１のトラッキング方向Ｔの両側には、フォーカシング方向Ｆにレンズホルダ２２を貫通する一対の透孔が形成される透孔部４１が設けられる。透孔部４１の透孔は、第１上面３６、段差面３７、第２上面３８および底面３９の一部が切り取られるように形成される。
【００４４】
レンズホルダ２２のトラッキング方向両端部４２には、フォーカシング方向Ｆの両端部間の中間部４３からトラッキング方向Ｔに相互に離反する方向に突出するホルダ突出部４４が形成される。各ホルダ突出部４４のフォーカシング方向一端部４５には、第１取付け片４６が設けられ、フォーカシング方向他端部４７には、第２取付け片４８が設けられる。
【００４５】
各第１取付け片４６は、ホルダ突出部４４のフォーカシング方向一端部４５の中央部からフォーカシング方向Ｆの一方、つまり上方に突出する。各第２取付け片４８は、ホルダ突出部４４のフォーカシング方向他端部４７の中央部からフォーカシング方向Ｆの他方に突出する。
【００４６】
各第１および第２取付け片４５，４６のトラッキング方向Ｔの相互に離反する方向であって、フォーカシング方向Ｆの中間部には、それぞれ弾性支持体４９が接続される。弾性支持体４９は、棒状部材であって、弾発性および導電性を有する。弾性支持体４９は、フォーカシング方向Ｆおよびトラッキング方向Ｔに相互に垂直な方向に延びる。弾性支持体４９の軸線方向一端部５１は、各第１および第２取付け部４５，４６に、たとえばはんだによって固定される。
【００４７】
レンズホルダ２２のフォーカシング方向Ｆの両端部間の中間部４３には、レンズホルダ２２の外周部に沿って、トラッキング方向Ｔと、トラッキング方向Ｔおよびフォーカシング方向Ｆに垂直な方向に延びる溝が形成され、フォーカシング方向駆動コイル２３が巻回される第１溝部５２が設けられる。
【００４８】
レンズホルダ２２のトラッキング方向Ｔの両端部４２近傍で、各第２上面３８に隣接して、この第２上面３８が相互に離反する側には、レンズホルダ２２の外周部に沿って、フォーカシング方向Ｆと、フォーカシング方向Ｆおよびトラッキング方向Ｔに垂直な方向に延びる溝が形成され、トラッキング方向駆動コイル２４が巻回される第２溝部５３がそれぞれ設けられる。
【００４９】
フォーカシング方向駆動コイル２３は、第１溝部５２に巻回される。フォーカシング方向駆動コイル２３の端部は、上述した第１取付け片４６に接続された弾性支持体４９にそれぞれ接続される。
【００５０】
トラッキング方向駆動コイル２４は、第２溝部５３に巻回される。トラッキング方向駆動コイル２４は、対物レンズ２１の両側に設けられる第２溝部４４に連続して巻回され、その端部は、上述した第２取付け片４８に接続された弾性支持体４９にそれぞれ接続される。
【００５１】
基台２５は、略矩形で板状の基部５４と、基部５４の端部から立設する立設部５５とを含む。立設部５５は、フォーカシング方向Ｆおよびトラッキング方向Ｔに垂直な方向の一端部５６からフォーカシング方向Ｆの一方、つまり上方に立設する。基部５４の厚み方向は、フォーカシング方向Ｆに平行である。また、立設部５５は、レンズホルダ２２のフォーカシング方向Ｆおよびトラッキング方向Ｔに垂直な方向の一方に形成される。
【００５２】
また、基台２５の一端部５６で、トラッキング方向両端部間の中間部には、基部５４に連なって後述する光ピックアップシャーシ５７に、基台２５を固定するための基台固定部５８が設けられる。基台固定部５８には、フォーカシング方向Ｆに貫通する取付け孔５９が形成される。
【００５３】
上述した弾性支持体４９の他端部６１は、基台２５の立設部５５に接続されて支持される。これによって基台２５は、レンズホルダ２２をフォーカシング方向Ｆおよびトラッキング方向Ｔに移動可能に支持する。弾性支持体４９の他端部６１は、立設部５５を貫通して突出する。この突出した弾性支持体４９の一部が上述したフォーカシング方向駆動コイル２３およびトラッキング方向駆動コイル２４に電圧を印加するための端子６２となる。
【００５４】
基台２５の基部５４は、レンズホルダ２２のフォーカシング方向Ｆの他方側まで延びる。基部５４には、対物レンズ２１に対向する領域に、開口６３が形成される。
【００５５】
また基台２５には、磁気回路６４が設けられる。磁気回路６４は、開放側をフォーカシング方向Ｆの一方、つまり上方に向けて、基部２５のフォーカシング方向一方面である基部上面６５に接合された一対のヨーク６６と、このヨーク６６の各対向面に接合された一対の永久磁石２７とを有する。一対の永久磁石２７との間には、磁気ギャップが形成される。したがって、磁気回路６４は全体として上方側に開放した略凹形になっている。基台２５の基部５４は、磁性体または強磁性体によって形成され、ヨークとしての機能を有する。また基部５４は、鉄などによって形成され、剛性を有する。
【００５６】
一対の永久磁石２７の間に、レンズホルダ２２に巻回されるフォーカシング方向駆動コイル２３およびトラッキング方向駆動コイル２４の一部が配置されるようにレンズホルダ２２が配置される。
【００５７】
一対のヨーク６６および永久磁石２７は、長手矩形状であって、長手方向であるトラッキング方向Ｔの両端部６８は、トラッキング方向駆動コイル２３よりもトラッキング方向Ｔの外方に位置する。
【００５８】
対物レンズ２１の駆動は、上述した弾性支持体４９の端子７２に電圧を印加することによって行われる。フォーカシング方向駆動コイル２３に電圧を印加すると、フレミングの左手の法則によって、レンズホルダ２２をフォーカシング方向Ｆに移動させることができ、またトラッキング方向駆動コイル２４に電圧を印加するとレンズホルダ２２をトラッキング方向Ｔに移動させることができる。
【００５９】
基台２５のトラッキング方向両端部７１には、この基部４８に垂直に連なって立設し、レンズホルダ２２のトラッキング方向両端部４２に臨む一対の側壁部７２が設けられる。一対の側壁部７２のフォーカシング方向一端部、つまり遊端部７３は、レンズホルダ２２の第１上面２３よりもフォーカシング方向他方、つまり下方に位置する。
【００６０】
カバー体２８は、トラッキング方向Ｔに平行に延び、レンズホルダ２２のトラッキング方向両端部４２を覆う。カバー体２８は、略矩形状であって、トラッキング方向Ｔの両端部７４からトラッキング方向Ｆの他方である下方に屈曲する屈曲部７５を有する。カバー体２８の各屈曲部７５は、側壁部７２に当接し、接着剤などによって相互に固定される。カバー体２８の中央部には、カバー体開口部７６が設けられ、このカバー体開口部７６は、対物レンズ２１および第１上面３６に臨む。つまり、対物レンズ２１および第１上面３６は、カバー体２８に対向しない。またカバー体２８は、鉄などによって形成され、剛性を有する。
【００６１】
レンズホルダ２２の対物レンズ２１の周囲でかつディスク状記録媒体が装着される領域に臨む第１上面３６と、ディスク状記録媒体が装着される領域との間にカバー体２８を設けるのではなく、レンズホルダ２２の第１上面３６に段差面３７を介して連なる第２上面３８とディスク状記録媒体が装着される領域との間にカバー体２８が設けられる。したがって、レンズホルダ２２の第１上面３６に設けられる対物レンズ２１とディスク状記録媒体との距離をより近接して配置することができるので、より小形の対物レンズを使用して対物レンズ駆動装置２０を構成することができ、この対物レンズ駆動装置２０を用いる光ピックアップ装置を小形化することができる。
【００６２】
上述した基台２５の基部５４および側壁部７２と、カバー体２８とによって、レンズホルダ２２の可動範囲を規制するストッパが構成される。
【００６３】
緩衝部材２９は、段差面３７に関して第１上面３６および第２上面３８から突出し、かつ底面３９から突出し、さらに第１上面３６から底面３９にわたって透孔部４１内に形成される略直円柱状の基部８１と、基部８１の軸線方向一端部、フォーカシング方向一端部７２近傍から直角に突出して、第２上面３８上に支持される舌状部８２とを含む。舌状部８２は、矩形状であって、その遊端部は、第２上面３８の第２溝部５３寄りの領域まで延びる。
【００６４】
緩衝部材２９は、透磁性を有し、可撓性および弾発性を有する材料、たとえば緩衝用シリコンゴムによって一体成型される。
【００６５】
緩衝部材２９は、対物レンズ２１のトラッキング方向Ｔの両側に設けられる。各緩衝部材２９は、対物レンズ２１の光軸と、この光軸とトラッキング方向Ｔに垂直な方向に垂直な軸線Ｌ１とを含む一仮想平面に関して面対象に設けられ、図１〜図３において同様な部分には、同一の符号に添え字ａ，ｂを付す。
【００６６】
緩衝部材２９は、ディスク状記録媒体が装着される領域に臨んで対向する第１突出部８３と、レンズホルダ２２とディスク状記録媒体が装着される領域との間に設けられるカバー体２８に、トラッキング方向Ｔに臨んで対向する第２突出部８４と、フォーカシング方向Ｆの下方、すなわちフォーカシング方向Ｆの他方から、カバー体２８に臨んで対向する第３突出部８５と、レンズホルダ２２のフォーカシング方向Ｆの下方に設けられる基台２５に、上方すなわちフォーカシング方向一方から臨んで対向する第４突出部８６とを有する。
【００６７】
第１突出部８３は、緩衝部材２９の基部８１の、第１上面３６から突出する部分から成り、第２突出部８４は、緩衝部材２９の基部８１の、段差面３７からトラッキング方向Ｔに突出する部分から成り、第３突出部８５は、緩衝部材２９の、第２上面３８から突出する舌状部８２から成り、第４突出部８６は、緩衝部材２９の基部８１の、底面３９から突出する部分から成る。
【００６８】
第１突出部８３は、レンズホルダ２２のディスク状記録媒体が装着される領域に臨んで最も突出する表面である第１上面３６から突出する。第２突出部８４は、レンズホルダ２２のカバー体２８に臨んでトラッキング方向に最も突出する表面である段差面３８から突出する。第３突出部８５は、レンズホルダ２２のフォーカス方向Ｆでカバー体２８に臨んで最も突出する表面である第２上面３８から突出する。第４突出部８６は、レンズホルダ２２の基台２５の基部５４に臨んで最も突出する表面である底面３９から突出する。
【００６９】
緩衝部材２９の軸線方向他端部８７、つまりフォーカシング方向他端部には、緩衝部材２９をレンズホルダ２２に係止するための係止部８８が設けられる。
【００７０】
図４は、緩衝部材２９の係止部８８の近傍を拡大して示す部分断面図である。係止部８８は、レンズホルダ２２の底面３９から突出し、第４突出部８６を形成する。係止部８８は、錐台形状を有し、軸線方向一端部８９、つまりレンズホルダ２２寄りの端部は、基部８１の直径よりも大きな直径を有し、軸線方向他端部９１、つまり遊端部は、基部８１の直径よりも小さな直径を有する。
【００７１】
係止部８８の軸線方向一端部８９の直径をＤ１とし、係止部８８の軸線方向他端部９１の直径をＤ２とし、緩衝部材２９の基部８１の直径をＤ３とし、レンズホルダ２２の透孔部４１の内径をｄ１とすると、Ｄ１、Ｄ２、Ｄ３およびｄ１の関係は、ｄ１＜Ｄ１、Ｄ１＞Ｄ２、Ｄ２＜Ｄ３、およびｄ１＜Ｄ３となる。
【００７２】
したがって、緩衝部材２９を透孔部４１に容易に挿入することができるとともに、挿入した緩衝部材２９がフォーカシング方向Ｆの一方、つまり上方に抜けてしまうことが防止される。
【００７３】
対物レンズ２１のフォーカシング方向一端部３５とレンズホルダ２２の第１上面３６との間の距離をＡ１とし、第１突出部８３のフォーカシング方向一端部９２、つまり上端部と、レンズホルダ２２の第１上面３６との間の距離をＡ２とすると、Ａ１＜Ａ２に選ばれる。
【００７４】
したがって、ディスク状記録媒体が振動してレンズホルダ２２に近接したとしても、第１突出部８３がディスク状記録媒体に当接することによって、対物レンズ２１のディスク状記録媒体に対する接触を防止し、ディスク状記録媒体および対物レンズ２１が相互に接触して損傷するという不具合を防止することができる。また、第１突出部８３によって、レンズホルダ２２およびに対する衝撃を吸収して、緩和することができる。
【００７５】
緩衝部材２９の第３突出部８５とカバー体２８との間の距離をＡ３とし、第１突出部８３と定常状態で回転するディスク状記録媒体との間の距離をＡ４とすると、Ａ３＜Ａ４に選ばれる。
【００７６】
したがって、レンズホルダ２２がフォーカシング方向Ｆの一方である上方に所望の範囲を越えて移動すると、レンズホルダ２２の第３突出部８５がカバー体２８に直接接触することによって、レンズホルダ２２およびカバー体２２に対する衝撃を吸収して緩和し、かつレンズホルダ２２とディスク状記録媒体との接触を防止するので、ディスク状記録媒体および対物レンズ２１が損傷するという不具合を防止することができるとともに、レンズホルダ２２がカバー体２８に衝突する場合に発生する衝突音である衝突音を防止することができる。
【００７７】
第１突出部８３のディスク状記録媒体が装着される領域に臨む上面９３は、フォーカシング方向Ｆに垂直な一仮想平面に平行に形成される。これによって、ディスク状記録媒体が第１突出部８３に当接したときに、第１突出部８３の上面８７に可及的に広く接触させることができ、接触したときに第１突出部８３がディスク状記録媒体を押圧する力を分散させることができるので、ディスク状記録媒体の破損を確実に防止することができる。
【００７８】
緩衝部材２９の第４突出部８６と基台２５の基部上面６５との間の距離をＡ５とし、レンズホルダ２２の底面３９と、基台２５の一表面との間の距離をＡ６とすると、Ａ５＜Ａ６に選ばれる。
【００７９】
したがって、レンズホルダ２２がフォーカシング方向Ｆの他方である下方に所望の範囲を越えて移動すると、第４突出部８６が、レンズホルダ２２のフォーカシング方向Ｆの下方に設けられる基台２５に接触するので、レンズホルダ２２および基台２５に対する衝撃を吸収して緩和し、レンズホルダ２２と基台２５との接触を防止するので、レンズホルダ２２を保護することができるとともに、レンズホルダ２２が基台２５に衝突する場合に発生する衝突音を防止することができる。
【００８０】
緩衝部材２９の第２突出部８４とカバー体２８との間の距離をＡ７とし、レンズホルダ２２のトラッキング方向Ｔの両端部４２と、この端部４２に対向する基台２５の側壁部７２との間の距離をＡ８とすると、Ａ７＜Ａ８に選ばれる。
【００８１】
したがって、レンズホルダ２２がトラッキング方向Ｔに所望の範囲を越えて移動すると、第２突出部８４が、レンズホルダ２２とディスク状記録媒体が装着される領域との間に設けられるカバー体２８に接触するので、レンズホルダ２２およびカバー体２８に対する衝撃を吸収して緩和し、レンズホルダ２２とカバー体２８との接触を防止するので、レンズホルダ２２を保護することができるとともに、レンズホルダ２２がカバー体に衝突するときに発生する衝突音の発生を防止することができる。
【００８２】
このように、緩衝部材２９を設けることによって、ディスク状記録媒体が振動してレンズホルダ２２に近接したときに、レンズホルダ２２とディスク状記録媒体とが衝突することを防止するとともに、レンズホルダ２２が振動することによって、所望の可動範囲を越えて移動したときに、上述したレンズホルダ２２がこのレンズホルダ２２を外囲する基台２５およびカバー体２８と衝突することを防止することができる。レンズホルダ２２をフォーカス方向Ｆに移動させるフォーカスサーボを行ったり、対物レンズ駆動装置２０が設けられる装置に外部から振動などが加わったりしたときに、レンズホルダ２２が周囲の部材と直接接触することなく、かつ緩衝部材２９によって衝撃が吸収されるので、耳障りな衝突音の発生を防止することができる。
【００８３】
またレンズホルダ２２が激しく基台２５およびカバー体２８などに衝突することがないので、弾性支持体４９に過大な応力が発生することがなく、弾性支持体４９が切断されるといった不具合の発生が防止される。
【００８４】
緩衝部材２９を、可撓性および弾発性を有する材料によって形成することによって、レンズホルダ２２が振動して、第２および第４突出部８４，８６がカバー体２８に衝突、および第３突出部８５が基台２５に衝突した場合に、衝突が吸収され、かつ衝突の反動による揺動を抑制することができる。また第１〜第４突出部８３〜８６は、一体成型されることによって、第１〜第４突出部８３〜８６を個別に設けるよりも、それぞれ突出部の変形量を大きくすることができる。したがって、少ない材料で効率よく緩衝機能を実現することができる。
【００８５】
また緩衝部材２９は、一体成型されるので、基部８１および舌状部８２を有する形成品をレンズホルダ２２に装着することによって、容易に第１〜第４突出部８３〜８６を同時に形成することができる。したがって、製造工程数を増大させることがないので、生産性が向上される。
【００８６】
図５は、対物レンズ駆動装置２０を備える光ピックアップ装置１００の概略的な断面図である。
【００８７】
光ピックアップ装置１００は、対物レンズ駆動装置２０と、反射ミラー１０１と、光学モジュール９２とを、これら対物レンズ駆動装置２０、反射ミラー１０１、光学モジュール１０２を固定する光ピックアップシャーシ５７と、光ピックアップシャーシ５７をディスク状記録媒体の半径方向、すなわちトラッキング方向Ｔに平行な方向であって、図５の紙面に垂直な方向に移動させる送りねじ１０３と、光ピックアップシャーシ５７に設けられ、送りねじ１０３に螺着されるねじ孔部１０４とを含む。
【００８８】
反射ミラー１０１は、対物レンズ２１のフォーカシング方向Ｆの他方、すなわち下方に位置し、光学モジュール１０２が発するレーザ光を対物レンズ１０１に向けて反射し、ディスク状記録媒体によって反射され、対物レンズ２１を介して照射される反射レーザ光を光学モジュール１０２に反射する。反射ミラー１０１は、レーザ光の向きを９０°変更する。
【００８９】
光学モジュール１０２は、発光素子である半導体レーザ素子１０５と、受光素子１０６と、半導体レーザ素子１０５から発するレーザ光と、ディスク状記録媒体で反射された反射レーザ光とを分離するビームスプリッタ１０７などを含んで構成される。
【００９０】
対物レンズ２１は、光学モジュール１０２から照射され、反射ミラー１０１によって反射されたレーザ光をフォーカシング方向一方側に設けられるディスク状記録媒体が装着される領域に配置されたディスク状記録媒体の表面に集光し、またディスク状記録媒体の表面で反射したレーザ光を反射ミラー１０１に照射する。
【００９１】
光ピックアップシャーシ５７は、上述した対物レンズ駆動装置２０、反射ミラー１０１および光学モジュール１０２を保持する。光ピックアップシャーシ５７のトラッキング方向Ｔおよびフォーカシング方向Ｆに垂直な方向の一端部１０８には、対物レンズ駆動装置２０を固定する固定部１０９が設けられる。固定部１０９の上部には、ねじ孔が形成される。このねじ孔に、上述した対物レンズ駆動装置２０の基台固定部５８に設けられる取付け孔５９を挿通してボルト１１１などが螺着されて、光ピックアップシャーシ５７に対物レンズ駆動装置２０が固定される。
【００９２】
光ピックアップシャーシ５７は、図示しないモータなどの駆動装置によって、送りねじ１０３を軸線まわりに回転させ、ねじ孔部１０４に螺進または螺退させることによって、ディスク状記録媒体の半径方向に移動される。光ピックアップ装置１００は、対物レンズ２１を介してレーザ光を集光して、対物レンズ２１をディスク状記録媒体の半径方向に平行なトラッキング方向に走査して情報を読出し、または書込むことができる。
【００９３】
本実施の形態では、緩衝部材２９の基部８１の軸線方向他端部８７に係止部８８を設けているが、本発明の実施の他の形態では、基部８１を直円柱状に形成し、緩衝部材２９は、接着剤によってレンズホルダ２２に装着されてもよい。緩衝部材２９の基部８１を直円柱状とする場合、緩衝部材２９の形成が容易になる。
【００９４】
図６は、本発明の他の実施の形態である光ピックアップ装置のレンズホルダの緩衝構造を有する対物レンズ駆動装置１２０を概略的に示す斜視図であり、図７は、対物レンズ駆動装置１２０を示す部分平面図であり、図８は図７の切断面線ＩＩＩＶ−ＩＩＩＶから見た対物レンズ駆動装置１２０の切断面図である。
【００９５】
対物レンズ駆動装置１２０は、対物レンズ２１、対物レンズ２１を保持するレンズホルダ１２２、フォーカシング方向駆動コイル２３、トラッキング方向駆動コイル２４、基台２５、永久磁石２７、ヨーク２６、カバー体１２８および緩衝部材１２９を含む。
【００９６】
対物レンズ駆動装置１２０と、上述した実施の形態における対物レンズ駆動装置２０とは、レンズホルダ１２２と、カバー体１２８および緩衝部材１２９の形状のみが異なり、他の部分は同様な構成であるので、同様な構成には同一の符号を付して、その説明を省略する。
【００９７】
レンズホルダ１２２は、ディスク状記録媒体が装着される領域に臨むフォーカシング方向一端部１３１に、対物レンズ２１が固定されるレンズ固定部１３２を有する。レンズ固定部１３２は、レンズホルダ１２２のフォーカシング方向一端部１３１の中央部１３３に形成される凹所部１３４から成る。対物レンズ２１は、凹所部１３４に嵌合され、接着剤によって固定される。レンズ固定部１３２を設けることによって、製造工程において、対物レンズ２１の配置および位置決めが容易となり、作業性が向上する。レンズホルダ１２２の対物レンズ保持部１２６のフォーカシング方向他方側は、中空となっており、これによってレンズホルダ１２２は、フォーカシング方向Ｆの光を通過させることができる。レンズホルダ１２２は、合成樹脂などによって形成され、剛性を有する。
【００９８】
レンズホルダ１２２に固定される対物レンズ２１のフォーカシング方向一端部は、レンズホルダ１２２のフォーカシング方向一端部１３１からわずかにディスク状記録媒体が装着される領域に向かって突出する。
【００９９】
レンズホルダ１２２は、対物レンズ２１の周囲でかつディスク状記録媒体が装着される領域に臨む上面１３６および基台２５の基部５４に臨む底面１３５を有する。レンズホルダ１２２のフォーカシング方向一端部１３１で、上面１３６のフォーカシング方向Ｆおよびトラッキング方向Ｔに垂直な方向の端部には、凹所部１３７がそれぞれ形成される。
【０１００】
各凹所部１３７は、上面１３６よりもフォーカシング方向Ｆの他方、つまり下方に予め定める距離だけ退避して、フォーカシング方向一方に臨む底壁部１３８と、底壁部１３８のトラッキング方向両端部から垂直に連なって、上面１３６に連なる第１凹所側壁部１３９と、底壁部１３８の対物レンズ２１寄りの端部から垂直に連なって、上面１３６に連なる第１凹所側壁部１４０とを有する。
【０１０１】
レンズホルダ１２２の対物レンズ２１の光軸の両側、すなわち対物レンズ２１のトラッキング方向Ｔの両側には、フォーカシング方向Ｆにレンズホルダ１２２を貫通する一対の透孔が形成される透孔部１４１が設けられる。透孔部１４１の透孔は、角柱状に形成され、上面１３６および底面１３５の一部が切り取られるように形成される。
【０１０２】
レンズホルダ１２２のトラッキング方向両端部１４２には、フォーカシング方向Ｆの両端部間の中間部１４３からトラッキング方向Ｔに相互に離反する方向に突出するホルダ突出部１４４が形成される。各ホルダ突出部１４４のフォーカシング方向一端部１４５には、第１取付け片１４６が設けられ、フォーカシング方向他端部１４７には、第２取付け片１４８が設けられる。
【０１０３】
各第１取付け片１４６は、ホルダ突出部１４４のフォーカシング方向一端部１４５の中央部からフォーカシング方向Ｆの一方、つまり上方に突出する。各第２取付け片１４８は、ホルダ突出部１４４のフォーカシング方向他端部１４７の中央部からフォーカシング方向Ｆの他方に突出する。
【０１０４】
各第１および第２取付け片１４５，１４６のトラッキング方向Ｔの相互に離反する方向であって、フォーカシング方向Ｆの中間部には、それぞれ弾性支持体４９が接続される。弾性支持体４９は、フォーカシング方向Ｆおよびトラッキング方向Ｔに相互に垂直な方向に延びる。弾性支持体４９の軸線方向一端部５１は、各第１および第２取付け部１４５，１４６に、たとえばはんだによって固定される。
【０１０５】
レンズホルダ１２２のフォーカシング方向Ｆの両端部間の中間部１４３には、レンズホルダ１２２の外周部に沿って、トラッキング方向Ｔと、トラッキング方向Ｔおよびフォーカシング方向Ｆに垂直な方向に延びる溝が形成され、フォーカシング方向駆動コイル２３が巻回される第１溝部１５２が設けられる。
【０１０６】
レンズホルダ２２のトラッキング方向Ｔの両端部４２近傍には、レンズホルダ２２の外周部に沿って、フォーカシング方向Ｆと、フォーカシング方向Ｆおよびトラッキング方向Ｔに垂直な方向に延びる溝が形成され、トラッキング方向駆動コイル２４が巻回される第２溝部１５３がそれぞれ設けられる。
【０１０７】
フォーカシング方向駆動コイル２３は、第１溝部１５２に巻回される。フォーカシング方向駆動コイル２３の端部は、上述した第１取付け片１４６に接続された弾性支持体４９にそれぞれ接続される。
【０１０８】
トラッキング方向駆動コイル２４は、第２溝部１５３に巻回される。トラッキング方向駆動コイル２４は、対物レンズ２１の両側に設けられる第２溝部１４４に連続して巻回され、その端部は、上述した第２取付け片１４８に接続された弾性支持体４９にそれぞれ接続される。
【０１０９】
カバー体１２８は、基台２５の各側壁部７２の遊端部７３に設けられる。カバー体１２８は、トラッキング方向Ｔに平行に延び、レンズホルダ１２２のトラッキング方向両端部４２を覆う。各カバー体１２８は、対物レンズ２１の光軸と、この光軸とトラッキング方向Ｔに平行な軸線とを含む一仮想平面に関して面対象に設けられ、図６〜図８において同様な部分には、同一の符号に添え字ａ，ｂを付す。
【０１１０】
カバー体１２８は、板状であって、トラッキング方向Ｔの両端部７４からトラッキング方向Ｆの他方である下方に屈曲する屈曲部１７５を有する。カバー体１２８の各屈曲部１７５は、各側壁部７２に当接し、接着剤などによって相互に固定される。カバー体１２８は、鉄などによって形成され、剛性を有する。
【０１１１】
カバー体１２８の中央部には、フォーカシング方向Ｆおよびトラッキング方向Ｔに垂直な方向に突出するカバー体突出部２０１が設けられる。カバー体突出部２０１は、上述したレンズホルダ１２２の凹所部１３７に臨む。カバー突出部２０１のフォーカシング方向Ｆ他方面２０２、つまり下面は、底壁部１３８に対向する。また突出部２０１のトラッキング方向両端部２０３は、第１凹所側壁部１３９に対向する。
【０１１２】
レンズホルダ１２２の対物レンズ２１の周囲でかつディスク状記録媒体が装着される領域に臨む上面１３６と、ディスク状記録媒体が装着される領域との間にカバー体１２８を設けるのではなく、レンズホルダ１２２の上面１３６のフォーカシング方向下方に設けられる凹所部１３７の底壁部１３８とディスク状記録媒体が装着される領域との間にカバー体１２８が設けられる。したがって、レンズホルダ１２２の上面１３６に設けられる対物レンズ１２１とディスク状記録媒体との距離をより近接して配置することができるので、より小形の対物レンズを使用して対物レンズ駆動装置１２０を構成することができ、この対物レンズ駆動装置１２０を備える光ピックアップ装置を小形化することができる。
【０１１３】
上述した基台２５の基部５４および側壁部７２と、カバー体１２８とによって、レンズホルダ１２２の可動範囲を規制するストッパが構成される。
【０１１４】
緩衝部材１２９は、ディスク状記録媒体が装着される領域に臨んで対向する第１突出部１８３と、レンズホルダ１２２とディスク状記録媒体が装着される領域との間に設けられるカバー体１２８に、トラッキング方向に臨んで対向する第２突出部１８４と、ディスク状記録媒体に近接および離反するフォーカシング方向Ｆの下方、つまりフォーカシング方向の他方から、カバー体１２８に臨んで対向する第３突出部１８５と、レンズホルダ１２２のフォーカシング方向Ｆの下方に設けられる基台２５の基部５４に上方から臨んで対向する第４突出部１８６とを有する。第１〜第４突出部１８３〜１８６は、レンズホルダ１２２の表面から突出して設けられる。
【０１１５】
第１突出部１８３は、トラッキング方向Ｔに関して対物レンズ２１の光軸の両側に形成されて相互に対向する。第１突出部１８３は、レンズホルダ１２２の上面１３６上に形成され、レンズホルダ１２２のフォーカシング方向Ｆおよびトラッキング方向Ｔに垂直な方向の両端部まで延びる。
【０１１６】
第２突出部１８４は、各第１突出部１８３のトラッキング方向Ｔおよびフォーカシング方向Ｆに垂直な方向の両端部２０３にそれぞれ垂直に連なり、フォーカシング方向の一方、つまり下方に延びて相互に対向する。第２突出部１８４は、レンズホルダ１２２の各凹所部１３７の第１凹所側壁部１３９の対向する領域を覆って形成される。
【０１１７】
第３突出部１８５は、第２突出部１８４のフォーカシング方向他端部２０４、つまり下端部に垂直に連なり、トラッキング方向Ｔに平行に延びて、対向する第２突出部１８４と相互に連なる。第３突出部１８５は、レンズホルダ１２２の凹所部１３７の底壁部１３８のフォーカシング方向Ｆの上方に臨む領域を覆って形成される。
【０１１８】
第４突出部１８６は、第１突出部１８３の下部に連なって、レンズホルダ１２２に形成される透孔部１４１内をフォーカシング方向Ｆに延びて形成され、遊端部２０５がレンズホルダ１２２の底面１３５から突出する。
【０１１９】
対物レンズ２１のフォーカシング方向一端部３５とレンズホルダ１２２の上面１３６との間の距離をＢ１とし、第１突出部１８３のフォーカシング方向一端部１９２、つまり上端部と、レンズホルダ１２２の上面１３６との間の距離をＢ２とすると、Ｂ１＜Ｂ２に選ばれる。
【０１２０】
したがって、ディスク状記録媒体が振動してレンズホルダ１２２に近接したとしても、第１突出部１８３がディスク状記録媒体に当接することによって、対物レンズ２１のディスク状記録媒体に対する接触を防止することができ、ディスク状記録媒体および対物レンズ２１が相互に接触して損傷するという不具合を防止することができる。また、第１突出部１８３によって、ディスク状記録媒体およびレンズホルダ１２２に対する衝撃を吸収して緩和することができる。
【０１２１】
緩衝部材１２９の第３突出部１８５とカバー体１２８との間の距離をＢ３とし、第１突出部１８３と定常状態で回転するディスク状記録媒体との間の距離をＢ４とすると、Ｂ３＜Ｂ４に選ばれる。
【０１２２】
したがって、レンズホルダ１２２が振動することによって、レンズホルダ１２２がフォーカシング方向Ｆの一方である上方に所望の範囲を越えて移動すると、レンズホルダ１２２の第３突出部１８５がカバー体１２８に直接接触することによって、レンズホルダ１２２およびカバー体１２８に対する衝撃を吸収して緩和し、レンズホルダ１２２とディスク状記録媒体との接触を防止するので、ディスク状記録媒体および対物レンズ２１が損傷するという不具合を防止することができるとともに、レンズホルダ１２２がカバー体１２８に衝突する場合に発生する衝突音である衝突音を防止することができる。
【０１２３】
第１突出部１８３のディスク状記録媒体が装着される領域に臨む上面１９３は、フォーカシング方向Ｆに垂直な一仮想平面に平行に形成される。これによって、ディスク状記録媒体が第１突出部１８３に当接したときに、第１突出部１８３の上面１８７に可及的に広く接触させることができ、接触したときに第１突出部１８３がディスク状記録媒体を押圧する力を分散させることができるので、ディスク状記録媒体の破損を確実に防止することができる。
【０１２４】
緩衝部材１２９の第４突出部１８６と基台２５の基部上面６５との間の距離をＢ５とし、レンズホルダ１２２の底面１３９と、基台２５の一表面との間の距離をＢ６とすると、Ｂ５＜Ｂ６に選ばれる。
【０１２５】
したがって、レンズホルダ１２２が振動することによって、レンズホルダ１２２がフォーカシング方向Ｆの他方である下方に所望の範囲を越えて移動すると、第４突出部１８６が、レンズホルダ１２２のフォーカシング方向Ｆの下方に設けられる基台２５に接触するので、レンズホルダ１２２および基台２５に対する衝撃を吸収して緩和し、レンズホルダ１２２と基台２５との接触を防止するので、レンズホルダ１２２を保護することができるとともに、レンズホルダ１２２が基台２５に衝突する場合に発生する衝突音を防止することができる。
【０１２６】
緩衝部材１２９の第２突出部１８４とカバー体１２８との間の距離をＢ７とし、レンズホルダ１２２のトラッキング方向Ｔの両端部１４２と、この端部１４２に対向する基台２５の側壁部７２との間の距離をＢ８とすると、Ｂ７＜Ｂ８に選ばれる。
【０１２７】
このように、レンズホルダ１２２に緩衝部材１２９を設けることによって、レンズホルダ１２２がトラッキング方向Ｔに所望の範囲を越えて移動すると、第２突出部１８４が、レンズホルダ１２２とディスク状記録媒体が装着される領域との間に設けられるカバー体１２８に接触するので、レンズホルダ１２２およびカバー体１２８に対する衝撃を吸収して緩和し、レンズホルダ１２２とカバー体１２８との接触を防止するので、レンズホルダ１２２を保護することができるとともに、レンズホルダ１２２がカバー体１２８に衝突するときに発生する衝突音の発生を防止することができる。したがって、レンズホルダ１２２をフォーカス方向Ｆに移動させるフォーカスサーボを行ったり、対物レンズ駆動装置１２０が設けられる装置に外部から振動などが加わったりしたときに、レンズホルダ１２２が周囲の部材と直接接触することがないので、耳障りな衝突音の発生を防止することができる。
【０１２８】
またレンズホルダ１２２が激しく基台２５およびカバー体１２８などに衝突することがないので、弾性支持体４９に過大な応力が発生することがなく、弾性支持体４９が切断されるといった不具合の発生が防止される。
【０１２９】
このように、緩衝部材１２９を設けることによって、ディスク状記録媒体が振動してレンズホルダ１２２に近接したときに、レンズホルダ１２２とディスク状記録媒体とが衝突することを防止するとともに、レンズホルダ１２２が振動することによって、所望の可動範囲を越えて移動したときに、上述したレンズホルダ１２２がこのレンズホルダ１２２を外囲する基台２５およびカバー体１２８と衝突することを防止することができる。
【０１３０】
また、第２突出部１８４および第３突出部１８５を、対物レンズ２１の光軸の両側に形成される一対の第１突出部１８３の間に形成する、つまり第２突出部１８４および第３突出部１８５は、対物レンズ２１のフォーカシング方向およびトラッキング方向に垂直な方向の両側に設けられるので、上述した図１に示される実施の形態の対物レンズ駆動装置２０のように第２突出部８４および第３突出部８５を対物レンズの光軸の両側に形成される一対の第１突出部８２の相互に離反する方向に設ける場合と比較して、緩衝部材１２９が設けられるレンズホルダ１２２のトラッキング方向の寸法を小さくすることができる。したがって、対物レンズ駆動装置１２０の寸法を小さくすることができ、この対物レンズ駆動装置１２０を備える光ピックアップ装置を小形化することができる。
【０１３１】
上述した緩衝部材１２９は、透磁性を有し、可撓性および弾発性を有する材料、たとえば緩衝用シリコンゴムによって一体成型される。したがって、レンズホルダ１２２が振動して、第２および第４突出部１８４，１８６がカバー体１２８に衝突、および第３突出部１８５が基台２５に衝突したとしても、衝突が吸収され、かつ衝突の反動による揺動を抑制することができる。
【０１３２】
また緩衝部材１２９は、一体成型されるので、第１〜第４突出部１８３〜１８６を有する形成品をレンズホルダ１２２に装着することによって、容易に形成することができる。したがって、製造工程数を減少させ、生産性が向上される。
【０１３３】
対物レンズ駆動装置１２０を備える光ピックアップ装置は、上述した図５に示す光ピックアップ装置１００と同様な構成であり、図１に示す対物レンズ駆動装置２０を図４に示す対物レンズ駆動装置１２０に代えた構成であるので、その説明を省略する。
【０１３４】
上述した光ピックアップ装置は、車両などの特に外部振動が多く発生する場所で用いられる機器、たとえば車載用オーディオ機器およびカーナビゲーション装置などに好適に用いることができる。
【０１３５】
【発明の効果】
以上のように本発明によれば、レンズホルダに保持される対物レンズのディスク状記録媒体に対する接触を防止するとともに、レンズホルダのカバー体に対する衝撃を吸収する緩衝部材がレンズホルダに一体的に設けられるので、レンズホルダが揺動して、所望の範囲を越えて移動した場合、またディスク状記録媒体が揺動した場合であっても、緩衝部材によってレンズホルダとカバー体またはディスク記録媒体とが、直接触することを防止され、ディスク状記録媒体および対物レンズが損傷する不具合を防止することができるとともに、レンズホルダがカバー体に衝突する場合に発生する異常音である接触音の発生を防止することができる。
【０１３６】
緩衝部材は一体的にレンズホルダに設けられるので、上述したように対物レンズおよびディスク状記録媒体の損傷を防止することができ、かつ異常音の発生を防止することができる光ピックアップ装置のレンズホルダの緩衝構造を容易に形成することができる。したがって、製造工程数が増大されることがないので、レンズホルダの緩衝構造を備える光ピックアップ装置の生産性が向上する。
【０１３７】
また本発明によれば、ディスク状記録媒体が振動してレンズホルダに近接したとしても、緩衝部材の第１突出部がディスク状記録媒体に当接することによって、ディスク状記録媒体および対物レンズの接触を防止し、かつディスク状記録媒体とレンズホルダとが接触することを防止するので、ディスク状記録媒体および対物レンズが損傷するという不具合を防止することができる。
【０１３８】
レンズホルダがフォーカシング方向の一方である上方に所望の範囲を越えて移動すると、レンズホルダの表面から突出する緩衝部材の第３突出部がカバー体に接触する。第３突出部は、レンズホルダおよびカバー体に対する衝撃を吸収して緩和し、かつレンズホルダとディスク状記録媒体との接触を防止するので、ディスク状記録媒体および対物レンズが損傷するという不具合を防止することができるとともに、レンズホルダがカバー体に衝突する場合に発生する異常音である衝突音を防止することができる。
【０１３９】
またレンズホルダがトラッキング方向に所望の範囲を越えて移動すると、レンズホルダの表面から突出する緩衝部材の第２突出部が、レンズホルダとディスク状記録媒体が装着される領域との間に設けられるカバー体に接触する。第２突出部は、レンズホルダおよびカバー体に対する衝撃を吸収して緩和し、かつレンズホルダとカバー体との接触を防止するので、レンズホルダを保護することができるとともに、レンズホルダがカバー体に衝突するときに発生する異常音である衝突音の発生を防止することができる。
【０１４０】
第１〜第３突出部を有する緩衝部材をレンズホルダに装着するだけで、上述したように対物レンズおよびディスク状記録媒体の損傷を防止することができ、かつ異常音の発生を防止することができるので、光ピックアップ装置のレンズホルダの緩衝構造を容易に形成することができる。したがって、製造工程数が増大されることがないので、レンズホルダの緩衝構造を備える光ピックアップ装置の生産性が向上する。
【０１４１】
また本発明によれば、レンズホルダがフォーカシング方向の他方である下方に所望の範囲を越えて移動すると、レンズホルダの表面から突出する緩衝部材の第４突出部が、レンズホルダのフォーカシング方向の下方に設けられるヨークまたは基台に接触する。第４突出部は、レンズホルダとヨークまたは基台の衝撃を吸収して緩和し、かつレンズホルダとヨークまたは基台との接触を防止するので、レンズホルダを保護することができるとともに、レンズホルダがヨークまたは基台に衝突するときに発生する異常音である衝突音を防止することができる。
【０１４２】
また本発明によれば、第１上面のトラッキング方向両側に連なって形成される段差面から第２突出部が突出し、第１上面よりもディスク状記録媒体が装着される領域から離反して、段差面に連なる第２上面に第３突出部が設けられるので、レンズホルダの対物レンズの周囲でかつディスク状記録媒体が装着される領域に臨む第１上面と、ディスク状記録媒体との間にカバー体を設けるのではなく、レンズホルダの第１上面に段差面を介して連なり、第１上面よりもディスク状記録媒体が装着される領域から離反する第２上面とディスク状記録媒体との間にカバー体を設けることができる。したがって、レンズホルダの第１上面に設けられる対物レンズとディスク状記録媒体との距離をより近接して配置することができる。
【０１４３】
光ピックアップ装置を小形化するためには対物レンズを小形化する必要があるが、対物レンズを小形化するとこの対物レンズの焦点距離が短くなるので、対物レンズとディスク状記録媒体との距離を近接させて配置する必要がある。上述したようにレンズホルダの第１上面に設けられる対物レンズとディスク状記録媒体との距離をより近接して配置することができるので、より小形の対物レンズを使用して光ピックアップ装置を構成することができ、光ピックアップ装置の小形化を図ることができる。
【０１４４】
また、上述したレンズホルダの透孔部に、レンズホルダのフォーカス方向の寸法よりも軸線方向で大きな寸法を有し、軸線方向一端部近傍から直角に突出する舌状部が形成される基部を嵌め込むことによって、第１〜第４突出部を容易に形成することができる。
【０１４５】
また本発明によれば、第２突出部および第３突出部を、対物レンズの光軸の両側に形成される一対の第１突出部の間に形成する、つまり第２突出部および第３突出部は、対物レンズのフォーカシング方向およびトラッキング方向に垂直な方向の両側に設けられるので、第２突出部および第３突出部を対物レンズの光軸の両側に形成される一対の第１突出部の相互に離反する方向に設ける場合と比較して、緩衝部材が設けられるレンズホルダのトラッキング方向の寸法を小さくすることができる。したがって、光ピックアップ装置を小形化することができる。
【０１４６】
また本発明によれば、可撓性および弾発性を有する材料によって緩衝部材が一体成型されるので、弾性部材がディスク状記録媒体、カバー体、ヨークまたは基台などに接触したときに衝撃を吸収して緩和する。したがって、レンズホルダが振動して、所望の範囲外に移動したとしても、レンズホルダと周囲の部材との衝突によって異常音が発生することを確実に防止することができる。
【０１４７】
また、緩衝部材の形成品をレンズホルダに装着するだけで製造することができ製造工程が簡略化され、生産性が向上する。
【図面の簡単な説明】
【図１】本発明の実施の一形態である光ピックアップ装置のレンズホルダの緩衝構造を有する対物レンズ駆動装置２０を概略的に示す斜視図である。
【図２】対物レンズ駆動装置２０を示す部分平面図である。
【図３】図２の切断面線ＩＩＩ−ＩＩＩから見た対物レンズ駆動装置２０の切断面図である。
【図４】緩衝部材２９の係止部８８の近傍を拡大して示す部分断面図である。
【図５】対物レンズ駆動装置２０を備える光ピックアップ装置１００の概略的な断面図である。
【図６】本発明の他の実施の形態である光ピックアップ装置のレンズホルダの緩衝構造を有する対物レンズ駆動装置１２０を概略的に示す斜視図である。
【図７】対物レンズ駆動装置１２０を示す部分平面図である。
【図８】図７の切断面線ＩＩＩＶ−ＩＩＩＶから見た対物レンズ駆動装置１２０の切断面図である。
【図９】第３の先行技術の対物レンズ駆動装置１を簡略化して示す部分断面図である。
【符号の説明】
２０，１２０  対物レンズ駆動装置
２１  対物レンズ
２２，１２２  レンズホルダ
２５  基台
２８，１２８  カバー体
２９，１２９  緩衝部材
３６  第１上面
３７  段差面
３８  第２上面
３９  底面
４１  透孔部
８１  基部
８２  舌状部
８３  第１突出部
８４  第２突出部
８５  第３突出部
８６  第４突出部
１００  光ピックアップ装置
【図１】
2004152410.tif 000003
【図２】
2004152410.tif 000004
【図３】
2004152410.tif 000005
【図４】
2004152410.tif 000006
【図５】
2004152410.tif 000007
【図６】
2004152410.tif 000008
【図７】
2004152410.tif 000009
【図８】
2004152410.tif 000010
【図９】
2004152410.tif 000011